(57)【要約】【課題】    本発明の目的は、雪対策に優れた防獣ネットの張設方法及び防獣ネットを提供するものである。【解決手段】    防獣ネットの張設方法は、小動物、獣の侵入を防止する防獣ネットＮの張設方法であって、ネットｎは、地面Ｇに立設した第１の支柱１と第２の支柱２とで支持された吊りロープ３に張られ、吊りロープ３は弾性部材で形成され、吊りロープ３は緊張状態で、第１の支柱１と第２の支柱２とに取り付けられ、ネットｎに付着した雪が塊となって雪の荷重がネットｎにかかると、吊りロープ３が撓み、前記雪が溶けると、吊りロープ３の弾性力により吊りロープ３が緊張状態に戻るものである。【選択図】図１
2017184711.tif 000002
【特許請求の範囲】
【請求項１】
小動物、獣の侵入を防止する防獣ネットの張設方法であって、
ネットは、地面に立設した第１の支柱と第２の支柱とで支持された吊りロープに張られ、
前記吊りロープは弾性部材で形成され、
前記吊りロープは緊張状態で、前記第１の支柱と前記第２の支柱とに取り付けられ、
前記ネットに付着した雪が塊となって雪の荷重が前記ネットにかかると、前記吊りロープが撓み、前記雪が溶けると、前記吊りロープの弾性力により前記吊りロープが緊張状態に戻る
ことを特徴とする防獣ネットの張設方法。
【請求項２】
吊りロープは、第１の支柱に第１の固定具で、第２の支柱に第２の固定具で、それぞれ固定され、
ネットは前記第１の支柱及び第２の支柱に固定されず、前記吊りロープに取り付けられ、地面に対して垂下状態にある
ことを特徴とする請求項１記載の防獣ネットの張設方法。
【請求項３】
地面に立設した第１の支柱と第２の支柱とで支持された吊りロープに張られた網地のネットで、小動物、獣の侵入を防止する防獣ネットであって、
前記吊りロープは弾性部材で形成され、
前記吊りロープは緊張状態で、前記第１の支柱と前記第２の支柱とに取り付けられ、
前記ネットに付着した雪が塊となって雪の荷重が前記ネットにかかると、前記吊りロープが撓み、前記雪が溶けると、前記吊りロープの弾性力により前記吊りロープが緊張状態に戻る
ことを特徴とする防獣ネット。
【請求項４】
吊りロープは、第１の支柱に第１の固定具で、第２の支柱に第２の固定具で、それぞれ固定され、
ネットは前記第１の支柱及び第２の支柱に固定されず、前記吊りロープに取り付けられ、地面に対して垂下状態にある
ことを特徴とする請求項３記載の防獣ネット。
【発明の詳細な説明】
【技術分野】
【０００１】
本発明は、防獣ネットの張設方法及び防獣ネットに係り、特に、雪対策に優れた防獣ネットの張設方法及び防獣ネットに関する。
【背景技術】
【０００２】
従来、網地のネットに凍った雪が付着し、雪の荷重がかっても、網地のネットの内、吊りロープに係止する最上段部の網地の耐クリープ性を前記最上段部の網地を除く他の段部の網地の耐クリープ性より強く形成した防獣ネットがある（例えば、特許文献１参照）。
【先行技術文献】
【特許文献】
【０００３】
【特許文献１】実用新案登録第３１８９８４４号公報
【発明の概要】
【発明が解決しようとする課題】
【０００４】
しかしながら、豪雪地域においては、ネットに付着した雪が塊となって雪の荷重がネットにかかり、吊りロープが延びきってしまう場合があり、かかる場合、雪が溶けても、吊りロープが元に戻らず、見栄えが良好でないという問題点が生じた。
【０００５】
本発明は、上記実情を考慮してなされた防獣ネットの張設方法及び防獣ネットを提供することを目的とする。
【課題を解決するための手段】
【０００６】
請求項１記載の防獣ネットの張設方法は、小動物、獣の侵入を防止する防獣ネットの張設方法であって、ネットは、地面に立設した第１の支柱と第２の支柱とで支持された吊りロープに張られ、前記吊りロープは弾性部材で形成され、前記吊りロープは緊張状態で、前記第１の支柱と前記第２の支柱とに取り付けられ、前記ネットに付着した雪が塊となって雪の荷重が前記ネットにかかると、前記吊りロープが撓み、前記雪が溶けると、前記吊りロープの弾性力により前記吊りロープが緊張状態に戻るものである。
【０００７】
また、請求項２記載の防獣ネットの張設方法は、請求項１記載の防獣ネットの張設方法において、吊りロープは、第１の支柱に第１の固定具で、第２の支柱に第２の固定具で、それぞれ固定され、ネットは前記第１の支柱及び第２の支柱に固定されず、前記吊りロープに取り付けられ、地面に対して垂下状態にある。
【０００８】
また、請求項３記載の防獣ネットは、地面に立設した第１の支柱と第２の支柱とで支持された吊りロープに張られた網地のネットで、小動物、獣の侵入を防止する防獣ネットであって、前記吊りロープは弾性部材で形成され、前記吊りロープは緊張状態で、前記第１の支柱と前記第２の支柱とに取り付けられ、前記ネットに付着した雪が塊となって雪の荷重が前記ネットにかかると、前記吊りロープが撓み、前記雪が溶けると、前記吊りロープの弾性力により前記吊りロープが緊張状態に戻るものである。
【０００９】
また、請求項４記載の防獣ネットは、請求項３記載の防獣ネットにおいて、吊りロープは、第１の支柱に第１の固定具で、第２の支柱に第２の固定具で、それぞれ固定され、ネットは前記第１の支柱及び第２の支柱に固定されず、前記吊りロープに取り付けられ、地面に対して垂下状態にある。
【発明の効果】
【００１０】
請求項１記載の防獣ネットの張設方法によれば、ネットは、地面に立設した第１の支柱と第２の支柱とで支持された吊りロープに張られ、前記吊りロープは弾性部材で形成され、前記吊りロープは緊張状態で、前記第１の支柱と前記第２の支柱とに取り付けられ、前記ネットに付着した雪が塊となって雪の荷重が前記ネットにかかると、吊りロープが撓むが、雪が溶けると、吊りロープの弾性力により、ネットが元の緊張状態に戻るため、従来生じていた見栄えの改善を図ることができる。
【００１１】
ネットが第１の支柱及び第２の支柱に固定されていると、ネットに付着した雪が塊となって雪の荷重が前記ネットにかかって、吊りロープが撓んでネットに拘束力がかかり、ネットが破損するが、
請求項２記載の防獣ネットの張設方法によれば、ネットは第１の支柱及び第２の支柱に固定されていないため、吊りロープの撓みに追随してネットもフリーに移動し、ネットの破損を防止することができる。
【００１２】
また、請求項３記載の防獣ネットは、地面に立設した第１の支柱と第２の支柱とで支持された吊りロープに張られた網地のネットで、小動物、獣の侵入を防止する防獣ネットであって、前記吊りロープは弾性部材で形成され、前記吊りロープは緊張状態で、前記第１の支柱と前記第２の支柱とに取り付けられ、前記ネットに付着した雪が塊となって雪の荷重が前記ネットにかかると、前記吊りロープが撓んで、前記ネットに付着した雪が前記地面に当接し、前記雪が溶けると、前記吊りロープが緊張状態に戻るものである。
【００１３】
ネットが第１の支柱及び第２の支柱に固定されていると、ネットに付着した雪が塊となって雪の荷重が前記ネットにかかって、吊りロープが撓んでネットに拘束力がかかり、ネットが破損するが、
請求項４記載の防獣ネットによれば、ネットは第１の支柱及び第２の支柱に固定されていないため、吊りロープの撓みに追随してネットもフリーに移動し、ネットの破損を防止することができる。
【図面の簡単な説明】
【００１４】
【図１】図１は、本発明の一実施例の防獣ネットの概略的正面図である。
【図２】図２は、図１の防獣ネットに雪（図示せず）が付着し、吊りロープが撓んだ状態の概略的正面図である。
【図３】図３は、図２の一部を拡大して示す概略的一部拡大正面図である。
【図４】図４は、図３と異なる他の実施例の吊りロープの支持の概略的一部拡大正面図で、二点鎖線の吊りロープは通常状態を、実線の吊りロープはネットに雪（図示せず）が付着し、吊りロープが撓んだ状態を、それぞれ示している。
【図５】図５は、図１と異なる他の実施例の防獣ネットの概略的正面図である。
【図６】図６は、図２の防獣ネットに雪（図示せず）が付着し、吊りロープが撓んだ状態の概略的正面図である。
【図７】図７は、図６の一部を拡大して示す概略的一部拡大正面図である。
【図８】図８は、図６の概略的平面図である。
【図９】図９は、図６の防獣ネットに雪（図示せず）が更に付着し、吊りロープが撓んだ状態の概略的正面図である。
【発明を実施するための形態】
【００１５】
本発明の一実施例の防獣ネットの張設方法及び防獣ネットを図１乃至図３を参照して説明する。
図１に示すＮは防獣ネットで、防獣ネットＮは、地面Ｇに立設した第１の支柱（第１の支持部材）１と第２の支柱（第２の支持部材）２とで支持された吊りロープ３に張られた網地のネットｎにより、小動物、獣の侵入を防止するものである。なお、図１及び図２においては、図面の大きさの関係上、第１第１の支柱（第１の支持部材）１、第２の支柱（第２の支持部材）２に隣接する第Ｍの支柱（第Ｍの支持部材，Ｍ＞３）は、省略している。
【００１６】
吊りロープ３は弾性部材で形成され、吊りロープ３は、図１に示すように、緊張状態で、第１の支柱と第２の支柱２とに取り付けられている。取り付けは、第１の支柱１に第１の固定具（例えば、ステーブル１１）で、第２の支柱２に第２の固定具（例えば、ステーブル２１）で、それぞれ固定され、ネットｎは第１の支柱１及び第２の支柱２に固定されず、吊りロープ３に取り付けられ、地面Ｇに対して垂下状態にある。
なお、ネットｎが第１の支柱１及び第２の支柱２に固定されていると、ネットｎに付着した雪が塊となって雪の荷重がネットにかかって、吊りロープ３が撓んで、ネットｎに拘束力がかかり、ネットｎが破損するが、
本実施例にあっては、図２及び図３に示すように、ネットｎは第１の支柱１及び第２の支柱２に固定されていないため、吊りロープ３の撓みに追随してネットｎもフリーに移動し、ネットｎの破損を防止することができる。
【００１７】
そして、雪が降り、ネットｎに雪が付着していくと、ネットｎに付着した雪（図示せず）が塊となって雪の荷重がネットｎにかかる。
そうすると、吊りロープ３が図２に示すように撓んで、ネットｎに付着した雪が地面Ｇに当接することとなる。
一方、雪が溶けると、弾性部材で形成された吊りロープ３により、吊りロープ３が緊張状態に戻って、防獣ネットＮは、図１に示すような状態となる。
【００１８】
従って、上述した防獣ネットの張設方法（防獣ネットＮ）によれば、ネットｎに付着した雪が塊となって雪の荷重がネットｎにかかると、吊りロープ３が撓むが、雪が溶けると、吊りロープ３の弾性力により、ネットｎが元の緊張状態に戻るため、従来生じていた見栄えの改善を図ることができる。
また、ネットｎに付着した雪が塊となって雪の荷重がネットｎにかかると、吊りロープ３が撓んで、ネットｎに付着した雪が地面Ｇに当接するため、ネットｎにかかる荷重が軽減され、ネットｎの破損を防ぐことができ、また、それに伴って、ネットｎの強度もそれ程、強くないもので対応することができる。
【００１９】
なお、第１の支柱１と第２の支柱２とに取り付けられる吊りロープ３は、望ましくは、図５乃至図９に示すように、第１の固定具（例えば、ステーブル１１）と第２の固定具（例えば、ステーブル２１）とで、それぞれ固定され、つまり、ネットｎに雪が付着しない場合の吊りロープ３の第１の支柱１の固定位置３Ａ、第２の支柱２の固定位置３Ｂは、図５に示す位置であり、ネットｎに雪が付着し、吊りロープ３が伸びた場合の吊りロープ３の第１の支柱１の固定位置３Ａ、第２の支柱２の固定位置３Ｂ（図６、図７、図９）は、図５に示す位置と同じ位置にある。
そして、第１の支柱１と第２の支柱２の高さをＨ、第１の支柱１の中心と第２の支柱２の中心との間隔をＬ、第１の支柱１の中心とと第２の支柱２の中心ととに固定された吊りロープ３の長さはＬとなる。吊りロープ３が完全に地面に着いた状態を最も伸び得る状態と仮定した場合の吊りロープ３の長さは、Ｈ＋Ｌ＋Ｈ＝２Ｈ＋Ｌで、その際の伸び率は、（（２Ｈ＋Ｌ）÷Ｌ−１）×１００となる。
例えば、Ｈ＝２．５ｍ   Ｌ＝２．５ｍの場合の伸び率は、
（（２×２．５＋２．５）÷２．５−１）×１００＝２００％
Ｈ＝２．５ｍ   Ｌ＝３ｍの場合の伸び率は、
（（２×２．５＋３）÷３−１）×１００＝１６７％
Ｈ＝２．５ｍ   Ｌ＝４ｍの場合の伸び率は、
（（２×２．５＋４）÷４−１）×１００＝１２５％
従って、Ｈ、 Ｌ等の施工条件によって（（２Ｈ＋Ｌ）÷Ｌ−１）×１００で算出された伸び率は、使用する吊りロープ３の破断伸び率以下で且つ弾性限界の伸び率であることが必要となる。
図５乃至図９に示す実施例は、図１乃至図４に示す実施例と同一部分に同一符号を付して、説明の一部を省略する。
【００２０】
また、吊りロープ３の第１の支柱１の固定位置３Ａ（第２の支柱２の固定位置３Ｂ）は、図４に示すように、第１の支柱１（第２の支柱２）の中心からずれた位置が良い。
これは、吊りロープ３が雪等の荷重により変形した場合、ネットｎが第１の支柱１（第２の支柱２）の上端部に引っかかるのを防ぐためである。
【００２１】
なお、吊りロープ３は、上述した実施例にあっては、第１の固定具（例えば、ステーブル１１）で取り付けたが、本願発明にあっては、これに限らず、例えば、図４に示す第１の支柱１に設けた支持部（例えば、フック）ｆに吊りロープ３を取り付けるようにしても良い。
【符号の説明】
【００２２】
Ｎ      防獣ネット
ｎ      ネット
Ｇ      地面
１      第１の支柱
２      第２の支柱
３      吊りロープ
【図１】
2017184711.tif 000003
【図２】
2017184711.tif 000004
【図３】
2017184711.tif 000005
【図４】
2017184711.tif 000006
【図５】
2017184711.tif 000007
【図６】
2017184711.tif 000008
【図７】
2017184711.tif 000009
【図８】
2017184711.tif 000010
【図９】
2017184711.tif 000011